(57)【特許請求の範囲】
【請求項１】
第１の集音孔を有するケース本体と、前記ケース本体の前面側に装着され前記第１の集音孔の近傍で前記第１の集音孔よりも下方に位置する第２の集音孔を有するカバーと、前記ケース本体の内部で前記第１の集音孔の近傍に配置され前記第１の集音孔及び前記第２の集音孔を介して集音するマイクと、を備え、
前記ケース本体の表面には、前記第１の集音孔の外周で前記第１の集音孔の外側開口部の一部を囲むように弧状に延びる突条をなす第１の被水防止リブが設けられており、
前記第１の被水防止リブの両端部間の開口部は、前記第２の集音孔に向けて開口していることを特徴とする浴室リモコン。
【請求項２】
請求項１に記載の浴室リモコンにおいて、
前記第１の集音孔は、前記ケース本体の前面に設けられ、
前記第２の集音孔は、前記カバーの側壁部に設けられていることを特徴とする浴室リモコン。
【請求項３】
請求項１又は請求項２に記載の浴室リモコンにおいて、
前記ケース本体の表面には、前記第１の被水防止リブの外周で前記第１の被水防止リブに沿って延びる突条をなす第２の被水防止リブが設けられていることを特徴とする浴室リモコン。
【発明の詳細な説明】
【技術分野】
【０００１】
本発明は、浴室の壁面に取り付けられる浴室リモコンに関するものである。
【背景技術】
【０００２】
例えば特許文献１に記載されているように、浴室の壁面に取り付けられる浴室リモコンには、台所の壁面等に設置される台所リモコンとの間での通話機能を有するものがある。特許文献１に記載された浴室リモコンは、浴室リモコンの制御を行うためのマイコン等を収容したケース本体と、ケース本体の前面及び側面を覆うカバーとを備えている。また、ケース本体の内部には、台所リモコンとの間での通話機能を実現するためのマイクが収容されている。マイクは、ケース本体に設けられた第１の集音孔に隣接して配置されている。第１の集音孔におけるケース本体の外側の開口部は、ケース本体の表面に貼り付けられた撥水シートによって覆われている。また、カバーには、撥水シートを介して第１の集音孔と対向する位置に第２の集音孔が設けられている。そして、マイクは、この第２の集音孔及び第１の集音孔を介して集音する。
【０００３】
ところで、浴室リモコンは、浴室の壁面に取り付けられるものであるため、湯水がかかることがある。カバーに設けられた第２の集音孔が被水して同第２の集音孔に水膜が形成されると、マイクによる集音が水膜によって妨げられてマイク感度が低下することがある。そこで、特許文献１に記載された浴室リモコンは、第２の集音孔付近でケース本体とカバーとの間に空間を備えるとともに、第２の集音孔に付着した水と接触して当該水をケース本体とカバーとの間の前記空間に導入する水分導入部をカバーの内側に備えている。そのため、第２の集音孔に付着した水は、水分導入部によってケース本体とカバーとの間の空間に導入されることから、第２の集音孔に水膜が形成され難くなっている。
【先行技術文献】
【特許文献】
【０００４】
【特許文献１】特開２０１３−１３８２８８号公報
【発明の概要】
【発明が解決しようとする課題】
【０００５】
特許文献１に記載された浴室リモコンでは、第２の集音孔に水膜が形成されることによるマイク感度の低下は抑制することができる。しかしながら、浴室の壁面に取り付けられる浴室リモコンにおいては、浴室リモコンにかかった湯水がカバーとケース本体との間に浸入してケース本体の表面に付着する虞がある。また、ケース本体の表面に結露する虞もある。そして、ケース本体の表面に付着した水が、撥水シート上で第１の集音孔の正面に存在すると、マイク感度が低下するという問題が生じる。また、第１の集音孔におけるケース本体の外側の開口部に撥水シートが設けられない場合には、ケース本体の表面に付着した水が第１の集音孔の方へ流れて第１の集音孔に水膜が形成される虞がある。すると、第１の集音孔に形成された水膜によってマイク感度が低下するという問題が生じる。
【０００６】
本発明は、上記課題を解決するためになされたものであって、その目的は、マイク感度の低下を抑制することができる浴室リモコンを提供することにある。
【課題を解決するための手段】
【０００７】
上記課題を解決する浴室リモコンは、第１の集音孔を有するケース本体と、前記ケース本体の前面側に装着され前記第１の集音孔の近傍で前記第１の集音孔よりも下方に位置する第２の集音孔を有するカバーと、前記ケース本体の内部で前記第１の集音孔の近傍に配置され前記第１の集音孔及び前記第２の集音孔を介して集音するマイクと、を備え、前記ケース本体の表面には、前記第１の集音孔の外周で前記第１の集音孔の外側開口部の一部を囲むように弧状に延びる突条をなす第１の被水防止リブが設けられており、前記第１の被水防止リブの両端部間の開口部は、前記第２の集音孔に向けて開口している。
【０００８】
この構成によれば、第１の被水防止リブによって、上方からケース本体の表面を伝って流れてくる水が第１の集音孔の外側開口部に至ることを抑制することができる。従って、第１の集音孔の外側開口部に水が配置されることを抑制できるため、マイク感度の低下を抑制することができる。また、第１の集音孔の外側開口部の一部を囲む第１の被水防止リブの両端部間の開口部は、第２の集音孔に向けて開口している。そのため、第１の被水防止リブによって、第２の集音孔から第１の集音孔の方へ音声を案内することができる。従って、マイクは、第１の集音孔及び第２の集音孔を介してより集音しやすくなるため、マイク感度を向上させることができる。
【０００９】
上記浴室リモコンにおいて、前記第１の集音孔は、前記ケース本体の前面に設けられ、前記第２の集音孔は、前記カバーの側壁部に設けられていることが好ましい。
この構成によれば、第１の集音孔はケース本体の前面に設けられ、第２の集音孔はカバーの側壁部に設けられているため、第１の集音孔と第２の集音孔とは、上下方向及び左右方向の位置が互いにずれるとともに、開口方向が異なっている。このような浴室リモコンにおいて、両端部間の開口部が第２の集音孔に向けて開口した第１の被水防止リブが第１の集音孔の外側開口部の外周に設けられていることで、マイクは、第２の集音孔及び第１の集音孔を介してより集音しやすくなる。また、第２の集音孔は、カバーにおいて、湯水のかかりやすい前面ではなく、前面に比べて湯水のかかりにくい側壁部に設けられている。従って、第２の集音孔がカバーの前面に設けられる場合に比べて、第２の集音孔に水膜が形成され難くなる。よって、第２の集音孔に水膜が形成されることによるマイク感度の低下を抑制することができる。
【００１０】
上記浴室リモコンにおいて、前記ケース本体の表面には、前記第１の被水防止リブの外周で前記第１の被水防止リブに沿って延びる突条をなす第２の被水防止リブが設けられていることが好ましい。
【００１１】
この構成によれば、第２の被水防止リブによっても、上方からケース本体の表面を伝って流れてくる水が第１の集音孔の外側開口部に至ることを抑制することができる。従って、第１の集音孔の外側開口部に水が配置されることをより抑制できるため、マイク感度の低下をより抑制することができる。
【発明の効果】
【００１２】
本発明の浴室リモコンによれば、マイク感度の低下を抑制することができる。
【図面の簡単な説明】
【００１３】
【図１】実施形態の浴室リモコンを備えたリモコンシステムの概略図。
【図２】実施形態の浴室リモコンの部分拡大斜視図。
【図３】実施形態の浴室リモコンの斜視図。
【図４】実施形態の浴室リモコンの断面図。
【発明を実施するための形態】
【００１４】
以下、浴室リモコンの一実施形態について説明する。
図１に示すように、本実施形態の浴室リモコン１１は、浴室の壁面に設置され、通信ケーブル１２を介して給湯装置１３（具体的には給湯装置１３の図示しない制御部）と通信接続されるものである。また、給湯装置１３には、台所の壁面に設置される台所リモコン１４が通信ケーブル１５を介して通信接続される。そして、浴室リモコン１１と台所リモコン１４との間では、音声信号の送受信により音声通話ができるようになっている。
【００１５】
図３に示すように、浴室リモコン１１のケース２０は、ケース本体３０と、ケース本体３０の前面側に装着された化粧カバー５０とを備えている。
ケース本体３０は、前ケース３１と、前ケースの後方（即ち浴室の壁面側）に配置される後ケース３２とを備えている。前ケース３１は、四角形の板状をなす基板固定部３３と、基板固定部３３の外周を囲む周壁部３４とを有しており、皿状をなしている。周壁部３４は、基板固定部３３の外周縁部から後方側に突出しており、基板固定部３３に対して直角に立設されている。また、後ケース３２は、前ケース３１の外形と略等しい外形を有する四角形の板状をなしており、基板固定部３３と周壁部３４とによって周壁部３４の内側に形成される凹部を閉塞するように前ケース３１に対して重ね合わされている。そして、後ケース３２は、周壁部３４の先端部（後方側の端部）に後ケース３２の周縁部が溶着されることにより、前ケース３１に対して液密に固定されている。前ケース３１と後ケース３２との間の空間（即ちケース本体３０の内部）には、図示しない回路基板が収容されている。この回路基板は、基板固定部３３の背面側であって周壁部３４の内側となる位置に配置され、基板固定部３３に固定されている。この回路基板には、浴室リモコン１１の制御を行うためのマイコン等の電子部品が実装されている。
【００１６】
また、基板固定部３３の前面側には、画像表示装置６１が配置されている。本実施形態の画像表示装置６１は、ＬＣＤ（液晶ディスプレイ）である。また、本実施形態の画像表示装置６１は、タッチパネルであり、目標給湯温度の設定等を行うために操作される入力装置も兼ねている。画像表示装置６１は、基板固定部３３と平行をなすように配置されており、前記回路基板に電気的に接続されている。
【００１７】
また、図４に示すように、基板固定部３３には、同基板固定部３３を前後方向に貫通した第１の集音孔３５が設けられている。第１の集音孔３５は、前ケース３１を前方側から見て、画像表示装置６１の右側であって基板固定部３３の右上の位置に形成されている。更に、第１の集音孔３５は、前方側から見て円形状をなしている。また、基板固定部３３の前面には、第１の集音孔３５の外側開口部（第１の集音孔３５におけるケース本体３０の外側の開口部）の外周縁部に、前方側から見て円環状をなす段差凹部３６が設けられている。
【００１８】
図２及び図４に示すように、ケース本体３０の内部には、第１の集音孔３５の近傍となる位置に、台所リモコン１４（図１参照）との間での通話機能を実現するためのマイク６２が配置されている。マイク６２は、図示しないマイクゴムに保持された状態で第１の集音孔３５と前後方向に隣り合って配置されている。そして、マイク６２は前記回路基板に電気的に接続されている。
【００１９】
また、図４に示すように、基板固定部３３には第１の放音孔３７が設けられている。第１の放音孔３７は、前ケース３１を前方側から見て、画像表示装置６１の左側であって基板固定部３３の左下の位置に形成されている。更に、第１の放音孔３７は、前方側から見て略円形状をなしている。この第１の放音孔３７の内側には、第１の放音孔３７の内周面から格子状に延びる格子部３８が設けられている。
【００２０】
ケース本体３０の内部には、第１の放音孔３７の近傍となる位置にスピーカ６３が収容されている。スピーカ６３は、第１の放音孔３７と前後方向に隣り合って配置されており、基板固定部３３の背面に固定されている。そして、スピーカ６３は前記回路基板に電気的に接続されている。
【００２１】
また、基板固定部３３の前面には、給湯装置１３（図１参照）の運転のオン・オフをするために操作される電源スイッチ６４が固定されている。電源スイッチ６４は前記回路基板に電気的に接続されている。
【００２２】
図３に示すように、化粧カバー５０は、略四角形の皿状をなしており、ケース本体３０の前面を被覆する前側被覆部５１と、ケース本体３０の側面を被覆する側壁部５２とを有する。前側被覆部５１は、基板固定部３３よりも若干大きい四角形の板状をなしている。側壁部５２は、前側被覆部５１の外周縁部から後方側に突出しており、ケース本体３０の外周を囲む四角筒状をなしている。なお、ケース本体３０に装着された化粧カバー５０の前側被覆部５１と、ケース本体３０の前面（基板固定部３３の前面）とは、前後方向に僅かに離間しており、互いの間に隙間が形成されている。
【００２３】
前側被覆部５１の略中央部には、前ケース３１の前面側に配置された画像表示装置６１と対応する部分に当該画像表示装置６１をケース２０の前面から視認可能とするための表示孔５３が設けられている。そして、化粧カバー５０には、光透過性を有する透明な保護カバー５４が表示孔５３を覆うように装着されている。また、前側被覆部５１には、前記電源スイッチ６４が露出する露出孔５５が形成されている。
【００２４】
図２に示すように、化粧カバー５０には、マイク６２の近傍となる位置に第２の集音孔５６が設けられている。第２の集音孔５６は、ケース本体３０の側面を被覆する側壁部５２において前記第１の集音孔３５の近傍となる位置に設けられており、側壁部５２を左右方向に貫通している。また、第２の集音孔５６は、第１の集音孔３５よりも下方に位置している。更に、第２の集音孔５６における化粧カバー５０の内側に開口した内側開口部は、前側被覆部５１とケース本体３０の前面との間の隙間に開口しており、第２の集音孔５６は、当該隙間とケース２０の外部とを連通している。そして、マイク６２は、第２の集音孔５６及び第１の集音孔３５を介して集音することができるようになっている。
【００２５】
また、図３に示すように、化粧カバー５０には、スピーカ６３の前方側となる位置（即ち基板固定部３３に設けられた第１の放音孔３７に対応する位置）に、スピーカ６３から放出される音をケース２０の外部に放出するための第２の放音孔５７が設けられている。第２の放音孔５７は、第１の放音孔３７よりも下方に位置している。また、第２の放音孔５７における化粧カバー５０の内側に開口した内側開口部は、前側被覆部５１とケース本体３０の前面との間の隙間に開口しており、第２の放音孔５７は、当該隙間とケース本体３０の外部とを連通している。そして、スピーカ６３から放出される音は、第１の放音孔３７及び第２の放音孔５７を介してケース２０の外部に放出される。
【００２６】
図４に示すように、基板固定部３３の前面（即ちケース本体３０の前面）には、画像表示装置６１の左右方向の両側に左右方向に延びる突条をなす複数の第１の補強リブ４１が設けられている。本実施形態では、第１の補強リブ４１は、画像表示装置６１の左右方向の両側に５本ずつ設けられるとともに、上下方向に隣り合う第１の補強リブ４１は上下方向に間隔を開けて設けられている。また、基板固定部３３の前面には、上下方向に延びる突条をなす複数の第２の補強リブ４２が設けられている。各第２の補強リブ４２は、第１の補強リブ４１と交差しており、第１の補強リブ４１と交差する部分で同第１の補強リブ４１と繋がっている。なお、第１の補強リブ４１及び第２の補強リブ４２は、前側被覆部５１とケース本体３０の前面との間の隙間に位置している。
【００２７】
図２及び図４に示すように、基板固定部３３の前面には、第１の集音孔３５の外周に同第１の集音孔３５の一部を囲む第１の被水防止リブ４３が設けられている。第１の被水防止リブ４３は、基板固定部３３の前面において、第１の集音孔３５の外周であって段差凹部３６よりも外周の部分に形成されている。第１の被水防止リブ４３は、基板固定部３３の前面から前方側に突出し、第１の集音孔３５の外側開口部（即ち第１の集音孔３５におけるケース本体３０の外側の開口部）の一部を囲むように延びる略円弧状の突条をなしている。本実施形態では、第１の被水防止リブ４３は、第１の集音孔３５の外側開口部の左上の方を囲むように形成されており、第１の集音孔３５の外側開口部の外周の約半分を囲んでいる。そして、第１の被水防止リブ４３の一端（図において右側の端）は、前方側から見て、第１の集音孔３５よりも右側で第１の集音孔３５よりも上方に位置している。一方、第１の被水防止リブ４３の他端（図において左側の端）は、前方側から見て、第１の集音孔３５よりも左側で第１の集音孔３５よりも下方に位置している。また、第１の被水防止リブ４３の両端部間の開口部４３ａ（即ち第１の被水防止リブ４３の両端の間の部分）は、第２の集音孔５６に向けて開口している。本実施形態では、第１の被水防止リブ４３の開口部４３ａは、第２の集音孔５６に向けて右斜め下方に開口している。また、第１の被水防止リブ４３は、第１の集音孔３５の外側開口部よりも前方側に突出するとともに、前側被覆部５１とケース本体３０の前面との間の隙間に位置している。更に、第１の被水防止リブ４３における前方側の端面は、前側被覆部５１の背面に当接している。
【００２８】
また、第１の被水防止リブ４３には、前方側から見て第１の被水防止リブ４３の左側に位置する１本の第１の補強リブ４１ａの右側の端部が繋がっている。また、第１の被水防止リブ４３には、第１の被水防止リブ４３の上方に位置する１本の第２の補強リブ４２ａの下端が繋がっている。更に、第１の被水防止リブ４３の他端は、第１の被水防止リブ４３の下方に位置する１本の第２の補強リブ４２ｂの上端と繋がっている。
【００２９】
なお、ケース本体３０の前面（基板固定部３３の前面）には、第１の被水防止リブ４３の内側の部分に、第１の集音孔３５の外側開口部を覆う撥水シートＳが貼り付けられている。図４では、撥水シートＳを二点鎖線で図示している。
【００３０】
また、基板固定部３３の前面には、第１の集音孔３５の外周であって第１の被水防止リブ４３の外周（第１の集音孔３５と反対側）となる位置に、第１の被水防止リブ４３に沿って延びる第２の被水防止リブ４４が設けられている。第２の被水防止リブ４４は、基板固定部３３の前面において、第１の被水防止リブ４３よりも第１の集音孔３５から遠い位置であって、第１の集音孔３５との間に第１の被水防止リブ４３を挟む位置に形成されている。そして、第２の被水防止リブ４４は、基板固定部３３の前面から前方側に突出し、第１の被水防止リブ４３に沿って延びる円弧状の突条をなしている。また、第２の被水防止リブ４４は、第１の集音孔３５の外側開口部よりも前方側に突出するとともに、前側被覆部５１とケース本体３０の前面との間の隙間に位置している。また、本実施形態では、第２の被水防止リブ４４は、前方側から見て、第１の集音孔３５の左上で第１の集音孔３５の外側開口部の外周の約４分の１を囲む形状をなしている。また、前方側から見て、第２の被水防止リブ４４の一端（図において右側の端）は、第１の集音孔３５の真上に位置するとともに、第２の被水防止リブ４４の他端（図において左側の端）は、第１の集音孔３５の左側に位置している。なお、第２の被水防止リブ４４の一端は、第１の被水防止リブ４３の上方に位置する１本の第２の補強リブ４２ａに繋がっている。更に、第１の被水防止リブ４３の他端は、前方側から見て第１の被水防止リブ４３の左側に位置する１本の第１の補強リブ４１ａに繋がっている。
【００３１】
また、図３及び図４に示すように、基板固定部３３の前面には、第１の放音孔３７の外周に同第１の放音孔３７の一部を囲む第１のスピーカ側被水防止リブ４５が設けられている。第１のスピーカ側被水防止リブ４５は、基板固定部３３の前面から前方側に突出し、第１の放音孔３７の外側開口部（即ち第１の放音孔３７におけるケース本体３０の外側の開口部）を囲むように湾曲した略Ｕ字状の突条をなしている。本実施形態では、第１のスピーカ側被水防止リブ４５は、第１の放音孔３７の外側開口部の上側及び左右を囲むように形成されている。そして、第１のスピーカ側被水防止リブ４５の一端（図において右側の端）は、前方側から見て、第１の放音孔３７よりも右側に位置し、上下方向には第１の放音孔３７の下端と略等しい位置であって第２の放音孔５７よりも上方に位置している。一方、第１のスピーカ側被水防止リブ４５の他端（図において左側の端）は、前方側から見て、第１の放音孔３７よりも左側に位置し、上下方向には第１の放音孔３７よりも下方であって第２の放音孔５７よりも下方に位置している。また、第１のスピーカ側被水防止リブ４５の両端部間の開口部４５ａ（即ち第１のスピーカ側被水防止リブ４５の両端の間の部分）は、第２の放音孔５７に向けて下方に開口している。また、第１のスピーカ側被水防止リブ４５は、第１の集音孔３５におけるケース本体３０の外側の開口よりも前方側に突出するとともに、前側被覆部５１とケース本体３０の前面との間の隙間に位置している。更に、第１のスピーカ側被水防止リブ４５における前方側の端面は、前側被覆部５１の背面に当接している。
【００３２】
また、基板固定部３３の前面には、第１の放音孔３７の外周であって第１のスピーカ側被水防止リブ４５の外周（第１の放音孔３７と反対側）となる位置に、第１のスピーカ側被水防止リブ４５に沿って延びる第２のスピーカ側被水防止リブ４６が設けられている。第２のスピーカ側被水防止リブ４６は、基板固定部３３の前面において、第１のスピーカ側被水防止リブ４５よりも第１の放音孔３７から遠い位置であって、第１の放音孔３７との間に第１のスピーカ側被水防止リブ４５を挟む位置に形成されている。そして、第２のスピーカ側被水防止リブ４６は、基板固定部３３の前面から前方側に突出し、第１のスピーカ側被水防止リブ４５に沿って円弧状に湾曲した突条をなしている。また、第２のスピーカ側被水防止リブ４６は、第１の放音孔３７の外側開口部よりも前方側に突出するとともに、前側被覆部５１とケース本体３０の前面との間の隙間に位置している。また、本実施形態では、第２のスピーカ側被水防止リブ４６は、前方側から見て、第１の放音孔３７の右上で第１の放音孔３７の外側開口部の外周の約６分の１を囲む形状をなしている。また、前方側から見て、第２のスピーカ側被水防止リブ４６の一端（図において右側の端）は、第１の放音孔３７の右上に位置するとともに、第２のスピーカ側被水防止リブ４６の他端（図において左側の端）は、第１の放音孔３７の真上に位置している。そして、第２のスピーカ側被水防止リブ４６の両端部間の開口部４６ａ（即ち第２のスピーカ側被水防止リブ４６の両端の間の部分）は、第２の放音孔５７に向けて下方（左下）に開口している。また、第２のスピーカ側被水防止リブ４６には、第２のスピーカ側被水防止リブ４６の上方に位置する１本の第２の補強リブ４２ｃの下端が繋がっている。
【００３３】
また、基板固定部３３の前面には、第１の放音孔３７の下方に排水溝４７が設けられている。排水溝４７は、第１の放音孔３７の下方で上下方向に延びる溝状をなしている。また、排水溝４７の下端は、基板固定部３３の下端にまで達しており、下方に開口している。なお、この排水溝４７は、第２の放音孔５７の一部と前後方向に重なる位置に形成されている。
【００３４】
また、化粧カバー５０の側壁部５２には、排水溝４７の下方となる位置に排水孔５８が設けられている。この排水孔５８は、前側被覆部５１とケース本体３０の前面との間の隙間と、ケース２０の外部とを連通している。また、排水孔５８は、排水溝４７の下端において排水溝４７と連通している。従って、排水溝４７に流れ込んだ水が排水孔５８からケース２０の外部に排出されるようになっている。
【００３５】
次に、本実施形態の作用について説明する。
上方からケース本体３０の表面を伝って流れてくる水は、第２の被水防止リブ４４若しくは第１の被水防止リブ４３によって第１の集音孔３５の左右方向の両側に案内されて下方に流れる。従って、第１の被水防止リブ４３及び第２の被水防止リブ４４によって、上方からケース本体３０の表面を伝って流れてくる水が第１の集音孔３５の外側開口部に至ることを抑制することができる。即ち、ケース本体３０の表面に付着した水が、撥水シートＳ上で第１の集音孔３５の正面に存在してしまうことを抑制することができる。
【００３６】
また、第２の被水防止リブ４４よりも第１の集音孔３５の外側開口部に近い位置に位置する第１の被水防止リブ４３の開口部４３ａは、第２の集音孔５６に向けて開口している。そのため、第１の被水防止リブ４３によって、第２の集音孔５６から第１の集音孔３５の方へ音声を案内することができる。従って、マイク６２は、第１の集音孔３５及び第２の集音孔５６を介してより集音しやすくなる。
【００３７】
次に、本実施形態の特徴的な効果を記載する。
（１）第１の被水防止リブ４３によって第１の集音孔３５の外側開口部に水が配置されることを抑制できるため、マイク感度の低下を抑制することができる。また、第１の被水防止リブ４３によって第２の集音孔５６から第１の集音孔３５の方へ音声を案内することができるため、マイク感度を向上させることができる。
【００３８】
（２）第１の集音孔３５はケース本体３０の前面（基板固定部３３）に設けられ、第２の集音孔５６は化粧カバー５０の側壁部５２に設けられている。そのため、第１の集音孔３５と第２の集音孔５６とは、上下方向及び左右方向の位置が互いにずれるとともに、開口方向が異なっている（第１の集音孔３５は前後方向に開口し、第２の集音孔５６は左右方向に開口している）。このような浴室リモコン１１において、両端部間の開口部４３ａが第２の集音孔５６に向けて開口した第１の被水防止リブ４３が第１の集音孔３５の外側開口部の外周に設けられていることで、マイク６２は、第２の集音孔５６及び第１の集音孔３５を介してより集音しやすくなる。また、第２の集音孔５６は、化粧カバー５０において、湯水のかかりやすい前面（前側被覆部５１）ではなく、前面に比べて湯水のかかりにくい側壁部５２に設けられている。従って、第２の集音孔５６が化粧カバー５０の前面に設けられる場合に比べて、第２の集音孔５６に水膜が形成され難くなる。よって、第２の集音孔５６に水膜が形成されることによるマイク感度の低下を抑制することができる。
【００３９】
（３）第１の被水防止リブ４３の外周で第１の被水防止リブ４３に沿って延びる突条をなす第２の被水防止リブ４４によっても、上方からケース本体３０の表面を伝って流れてくる水が第１の集音孔３５の外側開口部に至ることを抑制することができる。従って、第１の集音孔３５の外側開口部に水が配置されることをより抑制できるため、マイク感度の低下をより抑制することができる。
【００４０】
（４）上方からケース本体３０の表面を伝って流れてくる水は、第２のスピーカ側被水防止リブ４６若しくは第１のスピーカ側被水防止リブ４５によって第１の放音孔３７の左右方向の両側に案内されて下方に流れる。従って、第１のスピーカ側被水防止リブ４５及び第２のスピーカ側被水防止リブ４６によって、上方からケース本体３０の表面を伝って流れてくる水が第１の放音孔３７の外側開口部に至ることを抑制することができる。よって、第１の放音孔３７に水膜が形成されることを抑制することができる。その結果、第１の放音孔３７に形成された水膜によってケース２０の外部へのスピーカ６３の音声の放出が阻害されることを抑制することができる。
【００４１】
（５）第２のスピーカ側被水防止リブ４６よりも第１の放音孔３７の外側開口部に近い位置に位置する第１のスピーカ側被水防止リブ４５の開口部４５ａは、第２の放音孔５７に向けて開口している。そのため、第１のスピーカ側被水防止リブ４５によって、第１の放音孔３７から第２の放音孔５７の方へ音声を案内することができる。従って、スピーカ６３の音声を、第１の放音孔３７及び第２の放音孔５７を介してケース２０の外部により放出しやすくなる。
【００４２】
（６）排水溝４７は第２の放音孔５７の一部と前後方向に重なる位置に形成されている。従って、第２の放音孔５７とケース本体３０の表面との間に水が留まり難くなるため、第２の放音孔５７に水膜が形成されることを抑制できる。従って、第１の放音孔３７及び第２の放音孔５７に形成された水膜によってケース２０の外部へのスピーカ６３の音声の放出が阻害されることを抑制することができる。
【００４３】
なお、上記実施形態は、以下のように変更してもよい。
・上記実施形態では、第１の集音孔３５は、基板固定部３３（即ちケース本体３０の前面）に設けられている。しかしながら、第１の集音孔３５は、ケース本体３０における背面以外の部位（即ち、ケース本体３０の前面若しくはケース本体３０の側面）に設けられるのであれば、必ずしも上記実施形態の位置に設けられなくてもよい。例えば、第１の集音孔３５は、周壁部３４に設けられてもよい。
【００４４】
・上記実施形態では、第２の集音孔５６は、化粧カバー５０の側壁部５２に設けられている。しかしながら、第２の集音孔５６は、第１の集音孔３５の近傍で第１の集音孔３５よりも下方に位置するのであれば、化粧カバー５０の何れの位置に設けられてもよい。例えば、第２の集音孔５６は、前側被覆部５１に設けられてもよい。
【００４５】
・上記実施形態では、第１の被水防止リブ４３は、第１の集音孔３５の外側開口部の左上の方を囲むように延びる略円弧状の突条をなしており、第１の集音孔３５の外側開口部の外周の約半分を囲む形状をなしている。しかしながら、第１の被水防止リブ４３の形状は、これに限らない。第１の被水防止リブ４３は、第１の集音孔３５の外周で第１の集音孔３５の外側開口部の一部を囲むように弧状に延びる突条であって、第１の被水防止リブ４３の両端部間の開口部４３ａが第２の集音孔５６に向けて開口する形状であればよい。但し、第１の被水防止リブ４３は、開口部４３ａにおける幅（前方側から見て第１の被水防止リブ４３の両端を結ぶ直線と平行な方向の幅）よりも広い幅を有する部分が存在しない形状である。また、第１の被水防止リブ４３は、前方側から見て部分的に括れた部分を備えない形状である。例えば、第１の被水防止リブ４３は、第１の集音孔３５の外側開口部の一部を囲むように延びるＶ字状、Ｕ字状、コ字状等の何れかの形状をなす突条であってもよい。
【００４６】
・上記実施形態では、第２の被水防止リブ４４は、円弧状の突条をなしている。しかしながら、第２の被水防止リブ４４の形状は、これに限らない。第２の被水防止リブ４４は、第１の被水防止リブ４３の外周で（第１の集音孔３５との間に第１の被水防止リブ４３を挟む位置で）第１の被水防止リブ４３に沿って延びる突条をなすものであればよい。但し、第２の被水防止リブ４４は、両端部間の幅（前方側から見て第２の被水防止リブ４４におけるその両端を結ぶ直線と平行な方向の幅）よりも広い幅を有する部分が存在しない形状である。また、第２の被水防止リブ４４は、前方側から見て部分的に括れた部分を備えない形状である。例えば、第２の被水防止リブ４４は、第１の被水防止リブ４３に沿って延びるＶ字状、Ｕ字状、コ字状等の何れかの形状をなす突条であってもよい。
【００４７】
・上記実施形態では、第１の放音孔３７は、基板固定部３３（即ちケース本体３０の前面）に設けられている。しかしながら、第１の放音孔３７は、ケース本体３０における背面以外の部位（即ち、ケース本体３０の前面若しくはケース本体３０の側面）に設けられるのであれば、必ずしも上記実施形態の位置に設けられなくてもよい。例えば、第１の放音孔３７は、周壁部３４に設けられてもよい。
【００４８】
・上記実施形態では、第２の放音孔５７は、化粧カバー５０の前側被覆部５１に設けられている。しかしながら、第２の放音孔５７は、第１の放音孔３７の近傍に位置するのであれば、化粧カバー５０の何れの位置に設けられてもよい。例えば、第２の放音孔５７は、側壁部５２に設けられてもよい。
【００４９】
・上記実施形態では、第１のスピーカ側被水防止リブ４５は、第１の放音孔３７の外側開口部を囲むように湾曲した略Ｕ字状の突条をなしており、第１の放音孔３７の外側開口部の上側及び左右を囲む形状をなしている。しかしながら、第１のスピーカ側被水防止リブ４５の形状は、これに限らず、第１の放音孔３７の外周で第１の集音孔３５の外側開口部の一部を囲むように弧状に延びる突条であって、その両端部間の開口部４５ａが下方（左右方向よりも下側）に開口した形状であればよい。但し、第１のスピーカ側被水防止リブ４５は、開口部４５ａにおける幅（前方側から見て第１のスピーカ側被水防止リブ４５の両端を結ぶ直線と平行な方向の幅）よりも広い幅を有する部分が存在しない形状である。また、第１のスピーカ側被水防止リブ４５は、前方側から見て部分的に括れた部分を備えない形状である。例えば、第１のスピーカ側被水防止リブ４５は、第１の放音孔３７の外側開口部の一部を囲むように延びるＶ字状、Ｕ字状、コ字状等の何れかの形状をなす突条であってもよい。なお、第２の放音孔５７が第１の放音孔３７よりも下方に位置する場合には、第１のスピーカ側被水防止リブ４５を、その開口部４５ａが第２の放音孔５７に向けて開口した構成とすることで、上記実施形態の（５）と同様の効果を得ることができる。
【００５０】
・上記実施形態では、第２のスピーカ側被水防止リブ４６は、円弧状の突条をなしている。しかしながら、第２のスピーカ側被水防止リブ４６の形状は、これに限らない。第２のスピーカ側被水防止リブ４６は、第１のスピーカ側被水防止リブ４５の外周で（第１の放音孔３７との間に第１のスピーカ側被水防止リブ４５を挟む位置で）第１のスピーカ側被水防止リブ４５に沿って延びる突条であればよい。但し、第２のスピーカ側被水防止リブ４６の両端部間の開口部４６ａは、下方（左右方向よりも下側）に向けて開口する。また、第２のスピーカ側被水防止リブ４６は、開口部４６ａにおける幅（前方側から見て第２のスピーカ側被水防止リブ４６の両端を結ぶ直線と平行な方向の幅）よりも幅の広い部分が存在しない形状である。また、第２のスピーカ側被水防止リブ４６は、前方側から見て部分的に括れた部分を備えない形状である。例えば、第２のスピーカ側被水防止リブ４６は、第１のスピーカ側被水防止リブ４５に沿って延びるＶ字状、Ｕ字状、コ字状等の何れかの形状をなす突条であってもよい。
【００５１】
・ケース本体３０は、第２の被水防止リブ４４、第１のスピーカ側被水防止リブ４５及び第２のスピーカ側被水防止リブ４６を必ずしも備えなくてもよい。
・上記実施形態では、浴室リモコン１１は、第１の集音孔３５の外側開口部を覆う撥水シートＳを備えている。しかしながら、浴室リモコン１１は、必ずしも撥水シートＳを備えなくてもよい。
【符号の説明】
【００５２】
１１…浴室リモコン、３０…ケース本体、３５…第１の集音孔、４３…第１の被水防止リブ、４３ａ…開口部、４４…第２の被水防止リブ、５０…カバーとしての化粧カバー、５２…側壁部、５６…第２の集音孔、６２…マイク。
【図１】
0006577356.tif 000002
【図２】
0006577356.tif 000003
【図３】
0006577356.tif 000004
【図４】
0006577356.tif 000005